(57)【特許請求の範囲】
【請求項１】
モバイル装置のモバイル・ウォレットに関連し、クレジット／デビット支払いトランザクションに使用される支払いカード・データを記憶するメモリと、
ドッキング・モード及び取り外しモードを含む非接触支払い送信プロセッサであって、前記ドッキング・モードは、支払い装置が前記モバイル装置に物理的に結合されているときに有効化されて前記モバイル・ウォレットから支払いカード・データを受信するように構成され、前記取り外しモードは、前記支払い装置が前記モバイル装置から物理的に取り外されたときに有効化されてＰＯＳ（販売時点情報管理）装置に、前記ドッキング・モード中に前記モバイル・ウォレットから受信した支払いカード・データを無線で伝えて支払いトランザクションを行うように構成される非接触支払い送信プロセッサとを備える、支払い装置。
【請求項２】
前記支払い装置が前記モバイル装置に物理的に結合しているときに前記モバイル装置から充電される電源をさらに備える、請求項１に記載の支払い装置。
【請求項３】
前記ドッキング・モードが、支払いカード・データを前記ＰＯＳ装置に無線で伝えるようにさらに構成される、請求項１に記載の支払い装置。
【請求項４】
前記支払いカード・データが、静的カード・データ、動的要素を有する静的カード・データ、少なくとも部分的にトークン化されたデータ、又は、動的暗号文を有する少なくとも部分的にトークン化されたデータのうち少なくとも１つを含む、請求項１に記載の支払い装置。
【請求項５】
トリガ・イベントが発生した後に前記非接触支払い送信プロセッサが前記ＰＯＳ装置に支払いカード・データを伝える、請求項１に記載の支払い装置。
【請求項６】
モバイル・ウォレットを含み、前記モバイル・ウォレットがクレジット／デビット支払いトランザクションに使用される支払いカード・データを含む、モバイル装置と、
前記モバイル装置から取り外すことができるように取り付けることができる取り外し可能な支払い装置とを備え、前記取り外し可能な支払い装置が前記モバイル装置に結合されたときに前記支払い装置が前記モバイル・ウォレットから支払いカード・データを受信し、前記支払い装置が前記モバイル装置から分離されたときに前記支払い装置がＰＯＳ（販売時点情報管理）装置に無線で、前記支払い装置が前記モバイル装置に結合されている時に前記モバイル・ウォレットから受信した支払いカード・データを伝えて支払いトランザクションを行う、システム。
【請求項７】
前記取り外し可能な支払い装置が前記モバイル・ウォレットから無線で支払いカード・データを受信する、請求項６に記載のシステム。
【請求項８】
前記取り外し可能な支払い装置が短距離の非接触送信を使用して支払いカード・データを前記ＰＯＳ装置に伝える、請求項６に記載のシステム。
【請求項９】
前記取り外し可能な支払い装置が前記モバイル装置に結合されているときに、前記取り外し可能な支払い装置と前記モバイル装置の両方が前記モバイル・ウォレットの支払いカード・データを前記ＰＯＳ装置に伝える、請求項６に記載のシステム。
【請求項１０】
前記取り外し可能な支払い装置のために有線又は無線の電源から充電される電源をさらに備える、請求項６に記載のシステム。
【請求項１１】
前記取り外し可能な支払い装置が前記ＰＯＳ装置の閾値近傍距離内にあるときに、前記支払い装置が支払いカード・データを自動的に前記ＰＯＳ装置に伝える、請求項６に記載のシステム。
【請求項１２】
トリガ・イベントが発生すると、前記取り外し可能な支払い装置が支払いカード・データを前記ＰＯＳ装置に伝える、請求項６に記載のシステム。
【請求項１３】
前記トリガ・イベントが、前記取り外し可能な支払い装置のボタンが相互作用されたこと、前記取り外し可能な支払い装置の指紋スキャナが相互作用されたこと、又は前記モバイル装置から遠隔コマンドが発行されたことのうち少なくとも１つである、請求項１２に記載のシステム。
【請求項１４】
前記取り外し可能な支払い装置が電子ペンの形状であり、前記取り外し可能な支払い装置が電子ペンの機能を行う、請求項６に記載のシステム。
【請求項１５】
前記支払いカード・データが動的暗号文を有する完全にトークン化されたカード・データを少なくとも１つ含む、請求項６に記載のシステム。
【発明の詳細な説明】
【技術分野】
【０００１】
本出願は、２０１５年２月２０日に出願された米国特許仮出願第６２／１１８７１９号の優先権を主張する２０１６年２月１８日に出願された米国特許出願第１５／０４６８１９号の優先権を主張し、その両方の全体が参照により本明細書に組み込まれる。
【０００２】
本開示は一般に電子支払い装置に関し、より詳細にはモバイル・ウォレットを利用する電子装置に関する。
【背景技術】
【０００３】
モバイル・ウォレットが物理的な支払いカードに置き換わりつつある。携帯電話及びタブレットにインストールされたモバイル・ウォレット、アプリケーション、及び関連する非接触送信ハードウェアは、消費者がデビットカード及びクレジットカードの電子等価物を記憶し、それらを使用して、販売時点情報管理（ＰＯＳ：ｐｏｉｎｔ−ｏｆ−ｓａｌｅ）端末の近傍にモバイル装置をかざすことによって非接触支払いを行うための手段となる。
【０００４】
モバイル・ウォレット及びモバイル支払いには従来の支払いカードに勝る多くの長所がある。しかし携帯電話及びタブレットは極めて個人的な使用を目的とする装置であり、支払いカードのような手軽に扱える性質を欠く。顧客対面形式で支払いカードを受け取るＰＯＳ端末を備える小売りの現場、又は、そのような端末が顧客の手の届く範囲にある場所ではモバイル・ウォレットは簡単に使用できるが、携帯電話及びタブレットは極めて個人的な使用を目的とする装置なので、支払いカードの代わりに施設の従業員に手渡すにはあまり適していない。
【先行技術文献】
【特許文献】
【０００５】
【特許文献１】米国特許第９０２２２８５号、「Ｓｙｓｔｅｍ  ａｎｄ  Ｍｅｔｈｏｄ  ｆｏｒ  Ｓｅｃｕｒｅｌｙ  Ｌｏａｄｉｎｇ，  Ｓｔｏｒｉｎｇ  ａｎｄ  Ｔｒａｎｓｍｉｔｔｉｎｇ  Ｍａｇｎｅｔｉｃ  Ｓｔｒｉｐｅ  Ｄａｔａ  ｉｎ  ａ  Ｄｅｖｉｃｅ  Ｗｏｒｋｉｎｇ  ｗｉｔｈ  ａ  Ｍｏｂｉｌｅ  Ｗａｌｌｅｔ  Ｓｙｓｔｅｍ」
【特許文献２】米国特許出願公開第２０１５／０３６３７７１号「Ｍｏｂｉｌｅ  Ｃｈｅｃｋｏｕｔ  Ｓｙｓｔｅｍｓ  ａｎｄ  Ｍｅｔｈｏｄｓ」
【発明の概要】
【０００６】
本開示は一般に、モバイル装置から取り外すことが可能で、また、そのモバイル装置のモバイル・ウォレットに関連する支払いトランザクションを行うように構成されている支払い装置を提供する。取り外し可能な支払い装置は、例えば、通常の支払いカードの形態（すなわち四角形）又はスタイラス（ｓｔｙｌｕｓ:鉄筆）／電子ペンの形態で実装されてもよい。モバイル装置、モバイル装置のモバイル・ウォレット及びＰＯＳ端末と通信するために、取り外し可能な支払い装置は、Ｂｌｕｅｔｏｏｔｈ（登録商標）、近距離通信（ＮＦＣ）又は、磁気セキュア送信（ＭＳＴ：Ｍａｇｎｅｔｉｃ  ｓｅｃｕｒｅ  ｔｒａｎｓｍｉｓｓｉｏｎｓ）などの短距離の非接触送信を使用してもよい。
【０００７】
支払い装置はドッキング・モード（ｄｏｃｋｅｄ  ｍｏｄｅ）及び、ドッキング解除（ｕｎｄｏｃｋｅｄ）された非接触送信モードを有してもよい。例えば、ドッキング・モードでは、支払い装置は、その装置がドッキングされているモバイル装置のモバイル・ウォレットから支払いカード・データを受信してもよい。加えて、支払い装置はドッキングされている間、支払いカード・データをＰＯＳ端末の受信器に送信してもよく、それによってモバイル装置と一体化したモバイル支払いユニットとして機能してもよい。支払い装置は、ドッキング解除時／取り外し時にはモバイル装置から独立して動作して、モバイル装置からの補助を必要とせずに非接触支払いトランザクションを完了してもよい。ただし、取り外されている間でも、支払い装置の動作は、支払い装置とモバイル装置との間の無線接続によって補われてもよい。
【０００８】
装置、システム及び方法の実施例が添付図面の図に示されているが、これらは例示のためのものであって限定するものではなく、同様の参照番号は同様又は対応する部分を指すことが意図されている。
【図面の簡単な説明】
【０００９】
【図１】本開示により、取り外し可能な支払い装置を使用してモバイル・ウォレット・トランザクションを行うためのシステムを示す。
【図２Ａ】本開示の一実施例による取り外し可能な支払い装置を含むモバイル装置の前面図である。
【図２Ｂ】本開示による、図２Ａの取り外し可能な支払い装置を含むモバイル装置の背面図である。
【図３Ａ】本開示の別の実施例による取り外し可能な支払い装置を含むモバイル装置の前面図である。
【図３Ｂ】本開示による、図３Ａによって実装可能な取り外し可能な支払い装置を示す図である。
【図４】本開示による取り外し可能な支払い装置の構成要素の実例を示す図である。
【発明を実施するための形態】
【００１０】
本明細書に定める本開示の詳細な記載は添付図面を参照し、これらの図面は説明として様々な実施例を示す。これらの様々な実施例は当業者が本開示を実施するために十分詳細に説明されているが、本開示の趣旨及び範囲を逸脱することなく、他の実施例が実現されてもよいし、論理的及び物理的な変更が行われてもよい。したがって、本明細書の詳細な記載は制限ではなく説明のみを目的として提示される。例えば、方法又はプロセスの説明のいずれにおいて述べるステップも、提示された順序以外の順序で行われてもよく、提示された順序に制限されることもない。さらに、単一の実施例への参照は複数の実施例を含むことがあり、複数の構成要素への参照は単一の実施例を含むこともある。
【００１１】
本開示は一般に、モバイル装置から取り外すことができ、そのモバイル装置のモバイル・ウォレット又はその取り外し可能な装置に記憶されたモバイル・ウォレットに関連する支払いトランザクションを行うことができる支払い装置に関する。参照により本明細書にその全体が組み込まれる米国特許第９０２２２８５号、「Ｓｙｓｔｅｍ  ａｎｄ  Ｍｅｔｈｏｄ  ｆｏｒ  Ｓｅｃｕｒｅｌｙ  Ｌｏａｄｉｎｇ，  Ｓｔｏｒｉｎｇ  ａｎｄ  Ｔｒａｎｓｍｉｔｔｉｎｇ  Ｍａｇｎｅｔｉｃ  Ｓｔｒｉｐｅ  Ｄａｔａ  ｉｎ  ａ  Ｄｅｖｉｃｅ  Ｗｏｒｋｉｎｇ  ｗｉｔｈ  ａ  Ｍｏｂｉｌｅ  Ｗａｌｌｅｔ  Ｓｙｓｔｅｍ」に、モバイル・ウォレット・アプリケーション及びモバイル・ウォレット・システムの使用の実例が記載されている。取り外し可能な支払い装置は、例えば、通常の支払いカードの形状（すなわち四角形）、キーホルダ（ｆｏｂ）様、又はスタイラス／電子ペンの形状など、様々な形状及びサイズで実装されてもよい。モバイル装置、モバイル装置のモバイル・ウォレット及びＰＯＳ端末と通信するために、取り外し可能な支払い装置は、Ｂｌｕｅｔｏｏｔｈ、近距離通信（ＮＦＣ）又は、磁気セキュア送信（ＭＳＴ）などの短距離の非接触送信を使用してもよい。
【００１２】
ドッキング・モードにある間、支払い装置はモバイル装置のモバイル・ウォレットから支払いカード・データを受信し、ＰＯＳ端末の受信器に支払いカード・データを送信してもよく、それによってモバイル装置と一体化したモバイル支払いユニットとして機能してもよい。ドッキング解除モードにあるときは、支払い装置はモバイル装置からの補助なしで非接触支払いトランザクションを完了してもよい。
【００１３】
モバイル・ウォレットはモバイル装置（例えば、スマートフォン、スマートウォッチ、又はタブレット）内に実装されたソフトウェア・モジュール又はハードウェアであり、モバイル装置のユーザがモバイル・ウォレットに電子的に記憶されたデジタル形式のクレジット、及びクレジットカード／デビットカードを使用して、クレジット／デビット支払いを行うことを可能にする。モバイル・ウォレットは、店頭購買及び、モバイル装置上のソフトウェア・アプリケーションを通した電子購買を行うために使用されてもよい。モバイル・ウォレットは支払いカード又はトークンに関する情報を安全に記憶し、この情報には、カード番号、有効期限、カード名義、カードのタイプ、カード発行者、カード照合値（ＣＶＶ：ｃａｒｄ  ｖｅｒｉｆｉｃａｔｉｏｎ  ｖａｌｕｅ）番号、その他の暗号認証要素などの情報が含まれる。参照により本明細書にその全体が組み込まれる米国特許出願公開第２０１５／０３６３７７１号、「Ｍｏｂｉｌｅ  Ｃｈｅｃｋｏｕｔ  Ｓｙｓｔｅｍｓ  ａｎｄ  Ｍｅｔｈｏｄｓ」に、モバイル・ウォレット・アプリケーションの使用及びモバイル・ウォレット・システム内での支払いカード又はトークンに関連する情報の保障の実例が記載されている。
【００１４】
通常のモバイル・ウォレット・トランザクションを行うためには、モバイル装置がＰＯＳ装置の閾値距離内に置かれ、閾値距離はモバイル装置及び／又はＰＯＳ装置の短距離無線送信能力によって測定される。加えて、いくつかのモバイル・ウォレット・トランザクションでは、ユーザが指紋又は何らかの他の個人特定情報をモバイル装置に提供することによって、トランザクション対象のカードの所有者であることを立証する必要がある。
【００１５】
モバイル・ウォレット・トランザクションでは短距離無線送信を利用してデータを伝達するので、多くのトランザクションで、ＰＯＳ装置がモバイル装置のユーザの手の届かないところにある場合は営業施設の従業員にモバイル装置を手渡さなければならない。モバイル装置は極めて個人的な使用を目的としており、人々は通常、極めて個人的な使用を目的とする物品を他人に手渡すことを好まない。少なくともその理由から、この状況は満足されるものではない。このような背景に対して、本開示はモバイル・ウォレット・トランザクションを行うために使用できる取り外し可能な支払い装置を提供し、それによって従業員にモバイル支払い装置を手渡す必要をなくす。手渡されるのは、取り外し可能な支払い装置のみである。
【００１６】
図１は、本開示により、取り外し可能な支払い装置を使用してモバイル・ウォレット・トランザクションを行うためのシステム１００を示す。システム１００はモバイル装置１０２、取り外し可能な支払い装置１０４、及びＰＯＳ（販売時点情報管理）装置１０６を含む。本明細書で下記において、支払い装置１０４の実例は、図２Ａ〜２Ｂ及び図３Ａ〜３Ｂの１０４ａ及び１０４ｂとして、それぞれ表される。
【００１７】
モバイル装置１０２はモバイル・ウォレット１０８を備える。モバイル・ウォレット１０８は、モバイル装置１０２内にハードウェア又はソフトウェアとして実装されてもよく、非接触支払いトランザクションで使用可能な支払いカード・データを記憶する。モバイル装置１０２は、モバイル・ウォレットを備え、それを操作することのできるスマートフォン、スマートウォッチ、タブレット、又は同様のモバイル装置であってもよい。
【００１８】
支払い装置１０４は、本明細書で下記に説明するように、モバイル装置１０２に取り外し可能に結合する。支払い装置１０４はモバイル装置１０２と、物理的接点のセットなどの物理的手段を介して通信してもよい。例えば、モバイル装置１０２にドッキングされているとき、支払い装置１０４はモバイル装置１０２から物理的な電気接点を介して電力を引き出し、それによって支払い装置１０４の内部電源を充電してもよい。支払い装置１０４はまた、Ｂｌｕｅｔｏｏｔｈ又はその他の無線通信／接続を介してモバイル装置１０２と通信してもよい。例えば、モバイル装置１０２にドッキングされているとき、支払い装置１０４はモバイル装置１０２のモバイル・ウォレット１０８から支払いカード・データを受信してもよい。
【００１９】
取り外し可能な支払い装置１０４は非接触支払い送信のハードウェア又はソフトウェアを備え、それを使用してモバイル・ウォレット１０８に関連する支払いカード・データをＰＯＳ端末／装置１０６に送信する。支払い装置１０４がＰＯＳ装置１０６と通信するために使用できる非接触送信には、例えば、近距離通信（ＮＦＣ）、磁気セキュア送信（ＭＳＴ）、又はＰＯＳ装置１０６が認識して受信することができる同様の短距離の非接触送信が含まれる。
【００２０】
取り外し可能な支払い装置１０４はドッキング・モード及び取り外しモードを有してもよく、各モードでは、個別の処理／機能が支払い装置１０４によって実施可能になる。例えば、ドッキング・モードでは支払い装置１０４がモバイル装置１０２から電力を受け、それによって支払い装置１０４の内部電源／バッテリを充電することが可能になってもよい。支払い装置１０４に伝えられる電力は、支払い装置１０４をモバイル装置１０２に電気接続する物理的接点を介して送信されてもよいし、又は、支払い装置がドッキングされているモバイル装置からバッテリ充電電力を受け取ってもよい。さらに、ドッキング・モードでは、支払い装置１０４がモバイル装置１０２と一体化したモバイル支払いユニットとして動作可能になってもよい。つまり、支払い装置１０４がドッキングされているときは、モバイル・ウォレット１０８の支払いカード・データは、支払い装置１０４とモバイル装置１０２の両方によって、短距離の非接触送信を介してＰＯＳ装置１０６に送信されてもよい。
【００２１】
取り外しモードでは、支払い装置１０４はモバイル装置１０２と独立に動作できるようになる（すなわち、支払い装置１０４はモバイル装置１０２からの補助なしでＰＯＳ装置１０６との非接触支払いトランザクションを完了してもよい）。ただし、取り外しモードが支払い装置１０４をそのように制限する必要はないことを理解されたい。例えば、取り外しモードが有効になっているとき、支払い装置１０４は、Ｂｌｕｅｔｏｏｔｈ又はその他の類似する無線通信／接続を通してモバイル装置１０２によって補われながらトランザクションを完了／実施してもよい。
【００２２】
モバイル装置は２つの異なるモードで使用することができる。一方のモードでは、ウォレットはモバイル装置上にあり、取り外し可能な装置はそのウォレットの単なる拡張部分である。カード記憶、プロビジョニング（ほとんどのセキュリティを含む）などのすべての主要機能がモバイル装置内で行われる。他方のモードでは、モバイル・ウォレットは取り外し可能な装置内にあり、モバイル装置（及び、その上で実行するウォレット・アプリケーション）は、取り外し可能な装置を制御及び管理するため、並びに広域ネットワーク（電話網、ＷｉＦｉなど）及びインターネットへの接続性を提供するために使用される。
【００２３】
取り外し可能な支払い装置１０４は、支払いカード・データをＰＯＳ装置１０６に自動的に送信するように構成されてもよい（例えば、支払い装置１０４がＰＯＳ装置１０６の一定の近傍距離内に置かれると、支払いカード・データを送信する）。近傍距離は、支払い装置１０４及び／又はＰＯＳ装置１０６の無線送受信能力によって決められてもよい。取り外し可能な支払い装置１０４は、トリガ・イベントが発生したときに支払いカード・データを送信するように構成されてもよい。例えば、支払いカード・データはユーザが支払い装置１０４のボタンと相互作用したとき、又はその後に送信されてもよい。別の実例では、支払いカード・データはユーザが支払い装置１０４の指紋スキャナと相互作用したとき、又はその後に送信されてもよい。さらに別の実例では、支払いカード・データはモバイル装置１０２から発せられた遠隔コマンド（例えば、ボタン又は指紋スキャナとの相互作用）に応答して送信されてもよい。支払い装置１０４からの支払いカード・データの送信を起動するために使用されるトリガ・イベントは、実装に応じて異なってもよい。例えば、より高いセキュリティ／暗号化が支払いカード・データに望まれる場合には、複数のトリガ・イベントが使用されてもよい。
【００２４】
図２Ａ及び２Ｂは、本開示による、支払いカード形状、すなわち四角形の取り外し可能な支払い装置１０４ａを含むモバイル装置１０２を示す。モバイル装置１０２は凹部（図示せず）を有するハウジング２０４を備え、この凹部の中に支払い装置１０４ａをドッキングしてもよい。或いは、支払い装置１０４ａは、例えば磁気的、物理的、及びその他の同様の取り付け手段を使用して、ハウジング２０４の凹んでいない部分でモバイル装置１０２にドッキングしてもよい。
【００２５】
支払い装置１０４ａは、支払い装置１０４ａが本明細書に記載されたとおりに、充電され及び支払いカード・データを受け取ることができる任意の位置でモバイル装置１０２にドッキングしてもよい。例えば、支払い装置１０４ａは、モバイル装置１０２の上部、中間部、又は底部にドッキングしてもよい。さらに、支払い装置１０４ａは、モバイル装置１０２の側縁部、中ほど（すなわち、モバイル装置１０２の縁部から離れた位置）、又は上若しくは下の縁部、或いはその近くにドッキングしてもよい。加えて、支払い装置１０４ａはモバイル装置１０２の後面／背面にドッキングするように示されているが、支払い装置１０４ａが本開示の範囲から逸脱することなくモバイル装置１０２の前側又は縁部にドッキングしてもよいことは当業者には理解される。
【００２６】
図３Ａ及び３Ｂは、本開示による、スタイラス形状の取り外し可能な支払い装置１０４ｂを含むモバイル装置１０２を示す。支払い装置１０４ｂは、従来のスタイラスの機能を行うようには構成されずに単にスタイラスの形態をとるだけであってもよい。或いは、支払い装置１０４ｂはスタイラスの形状であり、従来のスタイラスの機能を行い、本明細書に記載される支払い機能を行ってもよい。
【００２７】
支払い装置１０４ａと同様に、支払い装置１０４ｂはモバイル装置１０２に取り外し可能にドッキングするように構成される。支払い装置１０４ｂはモバイル装置１０２の凹部の中にドッキングしてもよい。或いは、支払い装置１０４ｂは、磁気的又はその他の同様の取り付け手段を使用して、ハウジング２０４の凹んでいない部分でモバイル装置１０２にドッキングしてもよい。支払い装置１０４ｂは、支払い装置１０４ｂが本明細書に記載されたとおりに電荷及び支払いカード・データを受け取ることができる任意の位置でモバイル装置１０２にドッキングしてもよい。例えば、支払い装置１０４ｂは、モバイル装置１０２の上部、中間部、又は底部にドッキングしてもよい。さらに、支払い装置１０４ｂは、モバイル装置１０２の側縁部、中ほど（すなわち、モバイル装置１０２の縁部から離れた位置）、又は上若しくは下の縁部、或いはその近くにドッキングしてもよい。加えて、支払い装置１０４ｂはモバイル装置１０２の後面／背面にドッキングするように示されているが、支払い装置１０４ｂが本開示の範囲から逸脱することなくモバイル装置１０２の前側又は縁部にドッキングしてもよいことは当業者には理解される。
【００２８】
取り外し可能な支払い装置１０４（並びに１０４ａ及び１０４ｂ）はモバイル装置１０４に取り付け可能であると説明されているが、支払い装置１０４は独立型の（すなわち、モバイル装置１０２に物理的に取り付けることができない）装置でもよいことを理解されたい。支払い装置１０４が独立型の装置である場合は、独立した専用電源を有してもよい。さらに、独立型の場合、支払い装置１０４はモバイル・ウォレット１０８との通信をＢｌｕｅｔｏｏｔｈ又は他の無線通信／接続を介して維持してもよい。
【００２９】
加えて、取り外し可能な支払い装置１０４（並びに１０４ａ及び１０４ｂ）はモバイル装置１０２及びモバイル・ウォレット１０８と有線通信／接続を介して通信するように構成されてもよい。そのような実装形態では、有線通信／接続はモバイル装置１０２及び／又は支払い装置１０４に恒久的に結合され得る。加えて、又は、代わりに、有線通信／接続手段はモバイル装置１０２及び／又は支払い装置１０４に切り離し可能に結合されてもよい。
【００３０】
取り外し可能な支払い装置１０４は、モバイル装置１０２及びモバイル・ウォレット１０８との間でＢｌｕｅｔｏｏｔｈ、その他の同様の無線通信、又は有線通信を通して利用状況及び位置の報告及びコマンドをやりとりするように装備されてもよい。例えば、ウェイターがＰＡＹ（支払い）ボタンを押した時点で、そのことを示す利用状況報告が発生してもよい。位置報告には、トランザクションが行われる大陸、トランザクションが行われる州、トランザクションが行われる国、トランザクションが行われる都市、トランザクションの確立、及びモバイル装置が利用できるＧＰＳ能力の機能として利用可能な同様の情報などのデータが含まれてもよい。モバイル装置との間でやりとりされるコマンドには、どのカードがアクティブ化されたか、ＮＦＣが実行されたか、トランザクションの量などが含まれてもよい。そのようなコマンド及び報告には、利用状況報告、位置警告、及び警報が含まれてもよい。
【００３１】
取り外し可能な支払い装置１０４（並びに１０４ａ及び１０４ｂ）は、専用のメモリ及び暗号処理装置を備えて支払いカード情報を記憶し、例えば、Ｂｌｕｅｔｏｏｔｈ若しくは他の無線通信手段の範囲外にあるとき、又は、モバイル装置１０２がオフにされているか動作不能なときに、そのような支払いカード情報を使用して、モバイル装置１０２及びモバイル・ウォレット１０８とは独立して非接触支払いを行ってもよい。支払い装置１０４によって記憶及び送信される支払いカード情報又は信用情報は、磁気ストライプ・カード又はチップ・カードの磁気ストライプに記憶されたカード・データなどの静的カード・データで構成されていてもよい。また、支払いカード情報又は信用情報は、動的ＣＶＶなどの動的要素を有する静的カード・データで構成されていてもよい。加えて、支払いカード情報又は信用情報は、一部又は完全にトークン化され、動的暗号化されているか、又は動的暗号化されていないカード・データであってもよい。そのような信用情報は、モバイル・ウォレット１０８を介してモバイル装置１０２に予めロードすることもできるし、又は、モバイル・ウォレット１０８を介してロードされたキー若しくはその他のデータに基づいてローカルで生成することもできる。
【００３２】
さらに、取り外し可能な支払い装置１０４（並びに１０４ａ及び１０４ｂ）は、ＵＳＢコネクタなどの通信接点のセットを備えてもよく、ラップトップ・コンピュータ又はタブレットなどの消費者装置に支払いカード・データ又はトークンを配信して安全な電子商取引支払いを可能にするために使用されてもよい。
【００３３】
取り外し可能な支払い装置１０４（並びに１０４ａ及び１０４ｂ）はまた、支払いカード、信用情報、トークン、及びキーの安全なストレージとして使用されてもよく、支払い装置１０４はそれらを、モバイル装置１０２のモバイル・ウォレット１０８からオンデマンドで利用可能になるようにしてもよい。例えば、ウォレット及びキーを含む取り外し可能な装置を使用してインターネット商取引のためのトークン化カード・データを生成して、そのカード・データをモバイル装置のディスプレイを介してユーザに提示することもできる。
【００３４】
図４は、支払い装置１０４（支払い装置１０４ａ及び１０４ｂをも表す）の構成要素の実例を示す。支払い装置１０４は動作時には、下記に詳細を説明するように、支払い装置１０４上に存在するコンピュータ可読でコンピュータ実行可能な命令を含んでもよい。
【００３５】
図４に示されるように、支払い装置１０４は入力／出力（Ｉ／Ｏ）装置インタフェース４０２を備え、このインタフェースは支払い装置１０４に接続性及びプロトコルのサポートを提供する。例えば、ＰＯＳ端末のアンテナ４０４を使用して、支払い装置１０４とＰＯＳ端末／装置１０６との間の接続性が提供されてもよい。同じアンテナ４０４又は別のモバイル装置アンテナ４０６を使用して、支払い装置１０４とモバイル装置１０２との間の接続性が提供されてもよい。加えて、物理的接点４０８を使用して、支払い装置１０４とモバイル装置１０２との間の物理的接続性が提供されてもよい。接点４０８は、モバイル装置１０２の電気接点に直接結合するように構成されてもよいし、又は、ユニバーサル・シリアル・バス（ＵＳＢ）、ＦｉｒｅＷｉｒｅ、Ｔｈｕｎｄｅｒｂｏｌｔ、又はその他の有線接続プロトコルなどの外部周辺装置接続を介して間接的にモバイル装置１０２に結合されるように構成されてもよい。
【００３６】
説明したように、Ｉ／Ｏ装置インタフェース４０２はアンテナ４０４、４０６のために様々なプロトコルをサポートしてもよい。例えば、アンテナ４０４、４０６はＢｌｕｅｔｏｏｔｈ、ＷｉＦｉダイレクト、又はＮＦＣ送信を発信及び受信してもよい。代替例では、アンテナ４０４、４０６は高周波（ＲＦ）を使用する代わりに、超音波通信又は赤外線通信などの他の技術に基づいてもよい。
【００３７】
支払い装置１０４は、支払い装置１０４の構成要素間でデータを搬送するためにアドレス／データ・バス４１０を備えてもよい。支払い装置１０４内の各構成要素はまた、バス４１０を介して他の構成要素に接続されることに加えて（又はその代わりに）、他の構成要素に直接接続されてもよい。
【００３８】
支払い装置１０４は非接触支払い送信プロセッサ４１２を備えてもよく、このプロセッサが中央処理ユニット（ＣＰＵ）を備えて、支払い装置１０４が本明細書に記載されるとおりにモバイル・ウォレット・トランザクションを実行できるようにするデータ及びコンピュータ可読命令を処理してもよい。支払い装置１０４はまた、データ（例えば支払いカード・データ）及び命令を記憶するためにメモリ４１４を備えてもよい。メモリ４１４は、揮発性ランダム・アクセス・メモリ（ＲＡＭ）、不揮発性読出し専用メモリ（ＲＯＭ）、不揮発性磁気抵抗メモリ（ＭＲＡＭ）及び／又はその他のタイプのメモリを含んでもよい。支払い装置１０４はまた、データ（例えば支払いカード・データ）及びコントローラ／プロセッサ実行可能な命令（例えば、本明細書に記載されるとおりに支払い装置１０４によって行われる処理を行うための命令）を記憶するために、データ・ストレージ構成要素４１６を備えてもよい。データ・ストレージ構成要素４１６は、磁気ストレージ、光ストレージ、半導体ストレージなどの１つ又は複数の不揮発性タイプのストレージを含んでもよい。
【００３９】
取り外し可能な支払い装置１０４は、電源４１８をさらに備える。電源４１８は、再充電可能なリチウムイオン・バッテリ、又はその他の同様のバッテリでもよい。
【００４０】
動作時には、モバイル・ウォレット・トランザクションを行うときに、モバイル装置１０２、取り外し可能な支払い装置１０４、及びＰＯＳ装置１０６との間で通信が伝送される。モバイル装置１０２は、特定のカード・データ・シーケンスを送信するよう命令するコマンドを、取り外し可能な支払い装置１０４に送ってもよい。コマンドは、カードＩＤだけを含んでもよいし（ウォレットが取り外し可能な装置内にある場合）、又は、認証パラメータを含むカード・シーケンス全体を含んでもよい。モバイル装置１０２と取り外し可能な支払い装置１０４との間の通信は暗号化される。加えて、取り外し可能な支払い装置１０４は、それに対応するアカウント並びに、モバイル装置１０２及びモバイル装置上にあるウォレット・アカウントに暗号によって結びつけられている。その他の通信には、カード・プロビジョニング、カード取り出し、及びカード固有キーの更新が含まれてもよい。
【００４１】
開示される技法の様々な適用例は、モバイル・ウォレットを実装するコンピューティング機器及び、それらの様々な適用例が実装される技術環境の機能を著しく改善する。さらに、本明細書では添付図面を参照しながら本開示を説明してきたが、本開示はそれらの教示のとおりに制限されるのではなく、その他の様々な変更及び修正が、本開示の趣旨及び範囲を逸脱することなく当業者によって行われてもよいことが理解される。
【図１】
0006405386.tif 000002
【図２Ａ】
0006405386.tif 000003
【図２Ｂ】
0006405386.tif 000004
【図３Ａ】
0006405386.tif 000005
【図３Ｂ】
0006405386.tif 000006
【図４】
0006405386.tif 000007